(57)【要約】【課題】音響機器において、外部ユニットの接続状態を内部機能に対する制御に反映させること。【解決手段】音響装置（１００）は、筐体（１９９）と、スピーカ（１４０）と、前記筐体に設けられた端子（端子１２０）と、前続端子に取り付けられた外部ユニット（２００、３００、４００、５００、６００）を特定する特定部（マイコン１１２、制御部１７０）と、前記特定部にて特定された外部ユニットに応じた制御内容を特定し、該決定した制御内容に従って前記スピーカを制御する制御部（制御部１７０）を有する。【選択図】図４
2014096657.tif 000002
【特許請求の範囲】
【請求項１】
筐体と、
スピーカと、
前記筐体に設けられた端子と、
前記端子に取り付けられた外部ユニットを特定する特定部と、
前記特定部にて特定された外部ユニットに応じた制御内容を決定し、該決定した制御内容に従って前記スピーカを制御する制御部と
を有する音響装置。
【請求項２】
前記制御部は、前記端子を介し、前記スピーカにて再生される楽音に応じた信号を当該外部ユニットへ供給する
ことを特徴とする請求項１に記載の音響装置。
【請求項３】
前記外部ユニットが外部スピーカである場合、前記特定部は当該外部スピーカの特性をさらに特定し、
前記制御部は、前記スピーカと前記外部スピーカのそれぞれに対し、前記外部スピーカの特性に応じた音響信号を供給する
ことを特徴とする請求項２に記載の音響装置。
【請求項４】
音響信号の音圧レベルをそれぞれのスピーカの音圧特性に応じて加工する信号処理部を更に有する
ことを特徴とする請求項３に記載の音響装置。
【請求項５】
音響信号の周波数特性をそれぞれのスピーカの周波数特性に基づいて加工する信号処理部を更に有する
ことを特徴とする請求項３に記載の音響装置。
【請求項６】
前記特定部は、前記外部ユニットを特定するに際し、前記端子の接触に起因する電気信号の変化が予め定められた条件を満たすか否かに応じて、当該変化に基づいて当該決定を行う第１方法と、前記外部ユニットから識別子を受信することで当該決定を行う第２方法のうちの少なくともいずれかを選択する
ことを特徴とする請求項１ないし５のいずれか一つに記載の音響装置。
【請求項７】
前記端子は、枠体と当該枠体の内部に設けられた複数のタンブラとを有し、
前記外部ユニットは、前記枠体に嵌め込み可能で、一または複数の凹部が形成された平板上部材を有する接続部を有し、
前記特定部は、前記平板上部材が前記枠対にはめ込まれた際に前記１または複数の凹部に起因した前記複数のタンブラの少なくともいずれか一つの位置の変化に基づいて、前記外部ユニットを特定する
ことを特徴とする請求項１ないし５のいずれか一つに記載の音響装置。
【請求項８】
前記外部ユニットの特性を当該外部ユニット以外の装置から取得する取得部を更に有する
ことを特徴とする請求項１ないし６のいずれか一つに記載の音響装置。
【請求項９】
前記スピーカの特性は、前記端子を介して前記外部ユニットから提供される
ことを特徴とする請求項１ないし６のいずれか一つに記載の音響装置。
【発明の詳細な説明】
【技術分野】
【０００１】
本発明は音響装置に関する。
【背景技術】
【０００２】
着脱可能な２種類のスピーカユニットを択一的に装着する機構を有し、装着されているスピーカユニットの音響特性に応じてオーディオ出力特性を自動的に変化させるノートＰＣが知られている（特許文献１参照）。
【先行技術文献】
【特許文献】
【０００３】
【特許文献１】特開２００８−８５９０２号公報
【発明の概要】
【発明が解決しようとする課題】
【０００４】
特許文献１に記載の発明は、内蔵スピーカを有するノートＰＣであって、外部スピーカの制御用として択一的に使用可能な二つの信号処理回路を設けておき、装着された外部スピーカの種類に応じていずれか一つの回路を有効化するというものである。特許文献１に記載の発明によれば、外部スピーカの特性（周波数帯域特性）に適した放音が当該スピーカからなされるように当該外部スピーカに対する制御が行われる。
一方、内蔵スピーカに対する制御については、装着の有無や装着された外部スピーカの種類に関係なく、独立している。すなわち、外部スピーカが装着された場合、内蔵スピーカから楽音が通常通り放音されるのに加えて、外部スピーカからも当該楽音の放音が行われる。この結果、装着の前後で、再生される音の音量レベルが変化する。内蔵スピーカのみによる楽音再生に対して適切に音量が設定されていたとすると、ユーザは予期せぬ音量変化を感じたり、適切な音量を指定し直す手間が生じたりして、好ましくない。この音量変化は、外部スピーカの装着を前提として音量設定がなされていた場合であっても、同様に生じる。
このように、従来の技術においては、音響機器に予め備わっている内部機能と当該音響機器に接続される外部スピーカ等の音響機器によって提供される外部機能とを、統合的に制御することができなかった。
【０００５】
本発明は、音響機器において、外部ユニットの接続があったことや接続が解除されたことを内部機能に対する制御に反映させ、接続されている外部ユニットと内部機能とを統合的に制御すること目的とする。
【課題を解決するための手段】
【０００６】
本発明は、一の態様において、筐体と、スピーカと、前記筐体に設けられた端子と、前記端子に取り付けられた外部ユニットを特定する特定部と、前記特定部にて特定された外部ユニットに応じた制御内容を決定し、該決定した制御内容に従って前記スピーカを制御する制御部とを有する音響装置を提供する。
好ましい態様において、前記制御部は、前記端子を介し、前記スピーカにて再生される楽音に応じた信号を当該外部ユニットへ供給する。
好ましい態様において、前記外部ユニットが外部スピーカである場合、前記特定部は当該外部スピーカの特性をさらに特定し、前記制御部は、前記スピーカと前記外部スピーカのそれぞれに対し、前記外部スピーカの特性に応じた音響信号を供給する。
好ましい態様において、音響信号の音圧レベルをそれぞれのスピーカの音圧特性に応じて加工する信号処理部を更に有する。
好ましい態様において、音響信号の周波数特性をそれぞれのスピーカの周波数特性に基づいて加工する信号処理部を更に有する。
好ましい態様において、前記特定部は、前記外部ユニットを特定するに際し、前記端子の接触に起因する電気信号の変化が予め定められた条件を満たすか否かに応じて、当該変化に基づいて当該決定を行う第１方法と、前記外部ユニットから識別子を受信することで当該決定を行う第２方法のうちの少なくともいずれかを選択する。
好ましい態様において、前記端子は、枠体と当該枠体の内部に設けられた複数のタンブラとを有し、前記外部ユニットは、前記枠体に嵌め込み可能で、一または複数の凹部が形成された平板上部材を有する接続部を有し、前記特定部は、前記平板上部材が前記枠対にはめ込まれた際に前記１または複数の凹部に起因した前記複数のタンブラの少なくともいずれか一つの位置の変化に基づいて、前記外部ユニットを特定する。
好ましい態様において、前記外部ユニットの特性を当該外部ユニット以外の装置から取得する取得部を更に有する。
好ましい態様において、前記スピーカの特性は、前記端子を介して前記外部ユニットから提供される。
【０００７】
本発明によれば、音響機器において、外部ユニットの接続があったことや接続が解除されたことが内部機能に対する制御に反映され、接続されている外部ユニットと内部機能とを統合的に制御することができる。
【図面の簡単な説明】
【０００８】
【図１】音響装置１００の外観図であって、（ａ）は正面図、（ｂ）は側面図である。
【図２】接続部１１０の外観の詳細図であって、（ａ）は、外部ユニットが接続されていない状態、（ｂ）は外部ユニットとしてスピーカユニット２００が接続されている状態をそれぞれ表わす図である。
【図３】スピーカユニット２００が取り付けられた音響装置の外観を表す図である。
【図４】音響装置１００の機能を表わす図である。
【図５】機器情報データベースＤＢ１に記憶される内容の例である。
【図６】（ａ）〜（ｄ）は制御情報テーブルＤＢ２に書き込まれる情報の例である。
【図７】音圧レベルの決定方法を説明するための図である。
【図８】スピーカユニット２００の機能を表わす図である。
【図９】接続部１１０および接続部２５０の詳細構造を表わす図である。
【図１０】（ａ）はテーブルＤＢ３、（ｂ）は受信データＤ１の例を表す図である。
【図１１】表示器３００の機能を表わす図である。
【図１２】表示器３００が取り付けられた音響装置１００の外観図である。
【図１３】操作つまみ４００の機能を表わす図である。
【図１４】操作つまみ４００が取り付けられた音響装置１００の外観図である。
【図１５】（ａ）、（ｂ）は接続部２５０の他の例を表し、（ｃ）は接続部１１０の他の例を表わす図である。
【図１６】音響装置１００の動作例である。
【図１７】ＬＥＤ照明５００の機能を表わす図である。
【図１８】ＬＥＤ照明５００を取り付けた音響装置１００の外観図である。
【図１９】時計６００の機能を表す図である。
【図２０】時計６００を取り付けた音響装置１００の外観図である。
【図２１】スピーカユニット２００とディフューザ７００とを取り付けた音響装置１００の外観図である。
【発明を実施するための形態】
【０００９】
図１は、音響装置１００の外観図であって、（ａ）は正面図、（ｂ）は側面図である。音響装置１００は、一般的な音響スピーカとしての機能を有する音響装置である。音響装置１００は、筐体１９９とスピーカユニット１４０と接続部１１０とを有する。筐体１９９は、おおよそ直方体の形状であって、幅（Ｘ方向）、奥行き（Ｙ方向）、高さ（Ｚ方向）がそれぞれＷ、Ｄ、Ｈである。スピーカユニット１４０は、筐体１９９に固定される。接続部１１０は筐体１９９の正面に設けられる。加えて、音響装置１００は電源や楽音の入力や出力を行う端子を有しているが、これらについては捨象している。
スピーカユニット１４０は、ボイスコイル、コーンなど振動体など（いずれも図示は省略）からなるスピーカユニットであって、入力音響信号に応じた音響波を正面方向（−Ｙ方向）に放出する。筐体１９９は、内部に電源や各種制御回路等を収容する部材として機能するほか、スピーカユニットのエンクロージャーとしての機能を有している。接続部１１０は、外部ユニットと接続するために設けられる構造体である。
【００１０】
図２は、接続部１１０の機械的な詳細図であって、（ａ）は外部ユニットが接続されていない状態、（ｂ）は外部ユニットとしてスピーカユニット２００が接続される状態をそれぞれ表わす。
同図（ａ）に示すように、接続部１１０は、端子１２０とガイド１２１とナットカバー１２２とを含む。端子１２０は、一の態様において、所定のピン配置を有し、音響装置１００および外部ユニットを電気的に接続するための端子である。ガイド１２１およびナットカバー１２２は、外部ユニットを音響装置１００に物理的に固定させるための機構である。ガイド１２１は、円筒で中空の形状を有し、外側にネジが切られており、外部ユニットの差し込みをガイドするための構造体である。ガイド１２１によって、音響装置１００側の端子１２０と外部ユニット側の端子との位置を合う。ナットカバー１２２はリング状の部材であり、ネジがその内側に切られている。ナットカバー１２２を締め付けることで外部ユニットが音響装置１００に固定される。
【００１１】
音響装置１００には、所定の取り付け機構を有する複数種類の外部ユニットを択一的に取り付けることができるようになっている。同図（ａ）には、異なるスピーカユニット２００Ａおよび２００Ｂが取り付け可能であることを表わしたものである。
スピーカユニット２００を例にとって、取り付け機構について説明する。スピーカユニット２００は、本体部２１２と端子２１０とネジ２１１からなる。端子２１０は、端子１２０と接触することで音響装置１００との間で電気信号のやり取りを行うためのものである。ネジ２１１は、本体部２１２の外側に設けられたリング状の部材であって、その外側にネジが切られている。本体部２１２は、ボイスコイル等の振動発生体とコーン等の振動体（図示は省略）とを含むスピーカユニットの本体部である。本体部２１２は、放出された音響波の特性を変化させるディフューザや音響パネルなどをさらに含んでいてもよい。
【００１２】
同図（ｂ）は、外部ユニットの音響装置１００に取り付けを説明したものである。まず、ユーザは同図の左のように、外部ユニットをガイド１２１に差し込み、続いてナットカバー１２２を回して外部ユニットのネジ２１１を締め付ける。これにより、音響装置１００と外部ユニットの端子同士が接触した状態で固定される。
【００１３】
スピーカユニット２００に音響装置１００が取り付けられると、その外観は図３に示すようになる。なお、スピーカユニット１４０、２００とも、図１〜３では１ｗａｙスピーカである例を表わしているが、２ｗａｙ以上であってもよい。以下の例においても同様である。
【００１４】
全ての外部ユニットは、その物理的形状に関し、端子１２０の形状に対応する形状を有する端子と、ガイド１２１の形状に適合する形状の本体部と、ナットカバー１２２の形状に対応する形状のネジ２１１が設けられるという特徴を有する。この構造的特徴によって、音響装置１００と物理的に接続可能になっている。なお、外部ユニットと音響装置１００とを接続する物理的機構については、上述したものは一例であって、どのようなものを採用してもよい。
【００１５】
図４は、音響装置１００の機能を表わす図である。音響装置１００は、接続部１１０、記憶部１３０、スピーカユニット１４０、音響信号処理部１５０、増幅部１５１、楽音入力部１６０、制御部１７０および特性取得部１８０を含む。
【００１６】
記憶部１３０は、ＲＯＭ、ＨＤＤ、半導体メモリなどの記録媒体であり、機器情報データベースＤＢ１および制御情報テーブルＤＢ２が記憶される。
【００１７】
図５は、機器情報データベースＤＢ１の内容の一例である。機器情報データベースＤＢ１には、音響機器に接続しうる外部ユニットのそれぞれについて、その識別コードに対応付けて、ユニット種別と入出力情報とが記述される。好ましい態様において、ユニット種別によっては、加えて機能情報が記憶される。制御部１７０は、識別コードをキーにして機器情報データベースＤＢ１内を検索することで、その識別コードで特定されるユニットの入出情報および機能特性を取得する。また、制御部１７０は、識別コードと入出力情報や機能情報とをセットで新たに取得した場合は、その情報を機器情報データベースＢ１のレコードに追加する。識別コードに対応する機能特性を事後的に取得した場合は、機器情報データベースＤＢ１に追加してもよい。
【００１８】
識別コードとは、一つの外部ユニットに対して一つ与えられるものであり、これにより各外部ユニットが一意に特定される。同図の例では、例えば上３桁がユニットの種別を表わし、下４桁がそのユニットのモデル番号である。ユニット種別とは、そのユニットの種類ないし機能的分類を表わす。
入出力情報とは、外部ユニットがどのような機能を有するものであるか、換言すれば、外部ユニットの機能の概要を表わすものである。具体的には、外部ユニットが接続された場合に、音響装置１００が外部ユニットからどのような制御情報を受け取るのか（「ＩＮ」）、および外部ユニットに対してどのような信号を供給すべきか（あるいは何も供給しないのか）（「ＯＵＴ」）が記述される。
機能特性とは、そのユニットがどのような特性を有しているかを記述した情報である。例えば、スピーカである場合、スピーカの特性である、再生可能な周波数帯や最大許容入力、指向性、マルチウェイ数、振動体の材質や大きさ等の情報を含む。
【００１９】
例えば、図４の識別コード「００１−０１２３」で特定される外部ユニットは、音響装置１００に供給される信号は存在せず、且つ音響装置１００から外部ユニットに供給すべき信号は音響信号であるというタイプの機器であることを表している。一方、識別コード「００３」で特定される外部ユニットは、外部ユニットから供給される信号は音響装置１００全体の音量レベルを指定する情報であり、供給すべき信号は存在しないというタイプの機器である。このようなタイプの機器は、操作つまみやその他スピーカユニットの楽音再生に関する各種パラメータを指定する機能を有する入力装置や音響機器が該当する。勿論、ＩＮとＯＵＴとの両方についての記述が存在するような外部ユニット（つまり、音響装置１００に信号を供給し、且つ音響装置１００からの信号に基づいて動作する機器）が機器情報データベースＤＢ１に登録されていてもよい。
【００２０】
機器情報データベースＤＢ１の内容に基づいて生成された、スピーカユニット制御用の制御情報および外部ユニット用の制御情報は、制御情報テーブルＤＢ２に書き込まれる。図６は、制御情報テーブルＤＢ２の内容の例である。制御情報テーブルＤＢ２はスピーカユニット１４０と外部ユニットのそれぞれに対してどのような制御を行うかを表わすものであり、以後新たなユニットが検出されない限りその内容は保持される。制御部１７０には、制御情報テーブルＤＢ２の内容に基づいて、音響信号処理部１５０および増幅部１５１の少なくともいずれかを制御するための信号を生成する。
【００２１】
同図（ａ）は外部ユニットが何も接続されていない場合、同図（ｂ）はスピーカユニット２００Ａが接続されている場合、同図（ｃ）はスピーカユニット２００Ｂが接続されている場合、同図（ｄ）は、操作つまみ４００が接続されている場合に、制御情報テーブルＤＢ２に記憶される内容の例を示す。同図に示すように、制御情報は、少なくとも内部スピーカに対する制御情報を含み、加えて、接続されている外部ユニットが存在する場合は当該外部ユニットについての制御情報を含む。制御情報の制御項目としては、「入出力制御」、「周波数特性調整」、「音圧レベル調整」が存在する。
【００２２】
項目「入出力制御」には、スピーカユニット１４０（および外部ユニットが接続されている場合はその外部ユニット）に対してどのようなデータを供給するかを規定する情報が記述される。同図（ａ）の例では、楽音入力部１６０にて入力された音響信号がスピーカユニット１４０のみに供給されるべきことが規定される。同図（ｂ）の例では、スピーカユニット１４０と外部ユニットとしてのスピーカユニット２００Ａとに対して音響信号を出力することが指定される。同図（ｄ）の例では、音響装置１００は外部ユニットとしての操作つまみ４００に対しては信号を出力しないが、当該外操作つまみ４００からは制御信号としての音量情報が音響装置１００へ供給されることを表わす。
【００２３】
項目「周波数特性調整」には、スピーカユニット１４０やスピーカユニット２００にて放音される音の周波数特性を指定するためのパラメータが格納される。同図（ｃ）の例では、周波数クロスオーバ処理を行うこと、およびこのクロスオーバ処理の内容としてその対象の周波数帯域が記述されている。クロスオーバ処理とは、複数のスピーカがそれぞれ異なる再生可能周波数帯域を有する場合に、音響信号を加工せずにそのまま複数のスピーカに入力すると、再生可能周波数帯域が共通する周波数領域の音が不自然に強調されて再生されるなど、再生される音の音質が低下するという不具合を回避するために、所定の周波数帯域において予め音量レベルを減少させるように音響信号を加工するものである。
【００２４】
この信号加工の一例としては、同図（ｃ）に示すように、スピーカユニット１４０の再生可能帯域がＬ１〜Ｈ１であり、スピーカユニット２００の再生可能帯域がＬ２〜Ｈ２（Ｌ１＜Ｌ２＜Ｈ１＜Ｈ２）である場合において、周波数（Ｌ２＋Ｈ１）／２を中心とする周波数幅Δ（定数）の帯域において、所定のアルゴリズムにしたがって出力レベルを下げる処理が考えられる。
【００２５】
項目「音圧レベル調整」には、入力音響信号のレベルに対して補正を行うか否か、およびその補正の具体的内容が記述される。例えば、図６（ｂ）においては、スピーカユニット２００のみに対してダイナミックレンジ圧縮（ＤＲＣ）を実行することが記述されている。ＤＲＣとは、入力信号レベルの下限から上限の範囲（ダイナミックレンジ）に対し、下限を上げ、上限を下げることで範囲を圧縮する処理をいう。具体的には、図７に示すように、例えば外部スピーカユニット２００において、スピーカの最大許容入力がＷ１で、本体のパワーアンプでの出力能力に対して下回る場合に、前記最大許容入力に対応するレベルをＶthとすると、Ｖoutが下回るように出力制御される（入力−出力特性曲線Ｓ(Corrected）を参照）。
このような制御を行うことにより、許容入力を越える大きな音が入力されスピーカが損傷したりすることが防止される。加えて、同図の例では、Voutが小音量領域の信号レベルが持ち上げられている。これは、本体の音声出力仕様に満たないようなスピーカにおいては小音量の再生能力も劣る可能性があることを考慮したものである。ただし、このような小音量領域に対する処理を省略してもよい。すなわち、本実施例においては、少なくとも大音量領域に対するレベルの抑制処理が行われていればよい。
【００２６】
制御情報テーブルＤＢ２に記述された情報は、音響信号処理部１５０（および必要な場合は外部ユニット）に供給する信号を生成する際に、制御部１７０によって参照される。制御情報テーブルＤＢ２に記憶される制御情報は、外部ユニットの接続が検知されるごとに生成され、当該外部ユニットの接続の解除を接続部１１０が検知するまで有効となる。つまり、外部ユニットの接続や接続の解除があるたびに制御情報テーブルＤＢ２の内容が書き替わる。なお、何も外部ユニットが接続されていない間は、予め設定されたスピーカユニットに対する制御情報（図６（ａ））が有効となる。
【００２７】
図４に戻り、楽音入力部１６０は、通信制御回路、入力端子、ケーブル（図示せず）などによって実現され、外部の楽音データの供給源となる装置から音響信号（波形データその他の１４０にて音響を発生させる源となる情報）を取得して制御部１７０に供給する。例えば、音響信号は、音響装置１００とBluetooth（登録商標）接続やLine接続されたデジタルオーディオプレーヤから供給される。あるいは、記憶部１３０に音響信号が記憶されている場合は、楽音入力部１６０はメモリアクセスコントローラであって、記憶部１３０から音響信号を楽音入力部１６０から読み出して制御部１７０に供給する機能を備えていてもよい。あるいは、楽音入力部１６０は、ネットワークインタフェースを備え、ネットワークを介してサーバから楽音データをダウンロードする機能を有してもよい。
【００２８】
音響信号処理部１５０は、アナログ／デジタルコンバータ、デジタル／アナログコンバータ、音響信号処理フィルタ、その他の信号処理回路や信号処理プロセッサによって実現され、制御部１７０から供給される音響信号や制御信号に従って信号処理を行い、処理後の信号を増幅部１５１に出力する。増幅部１５１は、信号増幅回路等を有し、制御部１７０の指示される増幅率に従って、音響信号処理部１５０から出力された信号を増幅し、スピーカユニット１４０に供給する。この結果、スピーカユニット１４０にて信号に入力信号に応じた振動が発生し、それが空気中を音響波として伝播してユーザの耳に届く。
【００２９】
特性取得部１８０は、通信インタフェースであって、必要に応じて、通信網を介して外部の装置にアクセスし、外部ユニットまたは音響装置１００を制御するための情報を取得する。外部の装置とは、例えば外部ユニットに関する情報を格納しているサーバ、音響装置１００の制御に関する情報を記憶したサーバ、音響装置１００に楽音信号を送信する装置など、音響装置１００の制御に関係しうる情報を保有する装置を含む。
【００３０】
接続部１１０は、端子１２０を介して接続される外部ユニットの識別コードを制御部１７０に供給する。
【００３１】
制御部１７０は、プロセッサによって実現される。制御部１７０は、接続部１１０から識別コードを受信すると、機器情報データベースＤＢ１を参照し、受信した識別コードに対応付けて登録されている外部ユニットの機器についての情報を抽出する。そして、制御部１７０は、該抽出した情報に基づいて、音響信号処理部１５０および増幅部１５１の少なくともいずれかを制御するための制御情報を生成し、生成した情報を制御情報テーブルＤＢ２に書き込む。この制御情報には、例えば、音響信号処理部１５０の１以上のフィルタのうちどれを有効化／無効化するかを指定する情報、増幅部１５１の回路の動作を規定する情報、制御信号の供給タイミングを指定する情報、その他、スピーカユニットで放音される音響波の特性に影響する情報が含まれる。すなわち、制御部１７０にて、接続部１１０にて判別された外部ユニットに応じた制御内容を決定し、該決定された制御内容に従って、前記スピーカへの信号を出力する音響信号処理部１５０および増幅部１５１の少なくともいずれかを制御する。
【００３２】
さらに、制御部１７０は、機器情報データベースＤＢ１に記憶された情報に基づいて、接続されている外部ユニットに信号を出力する必要があるか否かを決定し、出力の必要がある場合は、制御部１７０は、所定の制御アルゴリズムを用いて、外部ユニットへ出力するための情報を生成する。この情報には、例えば外部ユニットがスピーカユニット２００等の音響装置である場合には、音響信号が含まれる。あるいは、外部ユニットが音響とは直接関係ない装置である場合は、当該装置を制御するための制御情報が含まれてもよい。こうして生成された情報は、制御情報テーブルＤＢ２に書き込まれる。
制御部１７０は、必要に応じて制御情報テーブルＤＢ２を参照し、楽音入力部１６０から入力された信号あるいは制御信号等を、端子１２０を介して外部ユニットへ出力する。こうして、外部ユニットの動作を制御部１７０によって制御することが可能となる。
【００３３】
図８は、外部ユニットとしてのスピーカユニット２００の機能構成図である。スピーカユニット２００は、スピーカ部２４０と接続部２５０と増幅部２７０と電源２６０とを含む。同図中、破線で表わされた構成要素は必須ではないことを表わす。以下の例においても同様である。スピーカ部２４０は、ボイスコイルや振動コーンからなり、入力された音響信号に基づいて音響波を発生させる部材である。接続部２５０は、音響装置１００と接続するための端子２１０を有し、音響信号（あるいはこれに加えて電源）の供給を音響装置１００から受けて最終的に２４０に供給する。増幅部２７０は、信号増幅回路等を有し、音響装置１００から供給される制御信号で指定される増幅率に従って、入力された信号を増幅して２４０に出力する。通信部２１３は、プロセッサ、通信インタフェース、メモリを有し、メモリに記憶された、スピーカユニット２００を識別するための識別コード（およびこれに加えて当該外部ユニット（この場合はスピーカユニット２００）の機能特性）を、接続部１１０を介して接続された音響装置１００へ送信する。このメモリには音響装置１００の制御に関する情報が記憶され、これが音響装置１００へ提供されてもよい。こうすれば、外部ユニットを接続することで、音響装置の制御プログラムの更新を行うことができる。
【００３４】
以下、図９を参照して、接続部１１０および２５０を介して行われる、音響装置１００とスピーカユニット２００の間の接続および情報の授受の仕組みについて、詳細に説明する。
まず音響装置１００側の構造について説明する。接続部１１０は、マイコン１１２、端子１２０と電源１９８とスイッチ１９７とを含む。端子１２０は、端子１２０−Ｉ、１２０−Ｇ、１２０−Ｘ、および１２０−Ｖに大別される。端子１２０−Ｉは、ポート１１１−１〜ポート１１１−ｍの計ｍ個のポートを含む。各ポートは、それぞれ信号線Ｓ１〜Ｓｍを介し、マイコン内のプルアップ抵抗（図示省略）を介して電源電位Ｖ＋に接続されている。
【００３５】
端子１２０−Ｇは、グランドに接続された端子である。端子１２０−Ｘは、送信用端子（ＴＸ）と受信用端子（ＲＸ）とで構成され、スピーカユニット２００の通信部２１３との間で通信を行い、スピーカユニット２００からスピーカユニット２００の識別コードを受信する。端子１２０−Ｖは、電源ラインに接続され、電源を供給するためのものである。スイッチ１９７はマイコン１１２によって制御され、ＯＮになっている場合は、端子１２０−Ｖが電源電位Ｖ＋に接続され、端子１２０−Ｖと接続した外部ユニットに電源が供給される。ＯＦＦの場合は、外部ユニットには電源が供給されない。
【００３６】
次に外部ユニット側の接続部の構造について、スピーカユニット２００を例にとって説明する。スピーカユニット２００を構成する接続部２５０は、同図に示すように、端子２１０と通信部２１３とからなる。すなわち、外部ユニットは、大別すると、通信部２１３を有するものと有しないものとが存在する。端子２１０は、端子２１０−Ｉ、２１０−Ｇ、２１０−Ｘ、２１０−Ｖに大別される。
端子２１０−Ｉは、最大でポート２１０−１〜２１０−ｍの計ｍ個のポートを含み、外部スピーカ２００に接続される。各ポートにはそれぞれ判別抵抗Ｒ１〜Ｒｍが設けられている。各ポートは音響装置１００側の対応するポートに接続される。
【００３７】
端子２１０−Ｇは、端子１２０−Ｇと接続される。端子２１０−Ｘは、端子１２０−Ｘと接続するための端子であり、通信部２１３とマイコン１１２との間で要求信号や要求に対する応答しての識別コードをやり取りするためのものである。端子２１０−Ｖは端子１２０−Ｖと接続するためのものである。音響装置１００側から供給される電源は、通信部２１３および必要に応じて２７０に供給される。
【００３８】
ユーザが外部ユニット音響装置に接続することによって端子１２０と端子２１０とが接触すると、接続部１１０および２５０の間で、判別抵抗Ｒ１〜Ｒｍとマイコン内部のプルアップ抵抗との抵抗回路が構成される。このとき、それぞれのポートの電位は判別抵抗の値に依存するそれぞれのポートの電位はコンピュータ（マイコン）１１２によって検出される。マイコン１１２は、検出された電位に基づいてポートの接続状態を特定する。具体的には、図１０（ａ）に示すように、各ポートの電位の組み合わせと接続状態（外部ユニットとして接続されている機器の識別コード）とを対応付けて記憶したテーブルＤＢ３予め用意しておき、このテーブルを参照することで、電位に対応する識別コードが特定される。
好ましい態様において、マイコン１１２は、識別コードに加えて、検出した電位に基づいて機器の機能特性についての情報を特定してもよい。また、ポート１１１−１〜１１１−ｍのうち一部を機器の識別用として使用し、他のポートについては、外部ユニットから音響装置１００情報（外部ユニットの機器特性や音響装置への制御信号など）を伝送するため、あるいは音響装置１００から外部ユニットへ情報（制御情報など）を伝送するために使用してもよい。
こうして、接続部１１０にて外部ユニットが判別され、およびこれに加えて当該外部ユニットの機能特性が取得されると、これらの情報は制御部１７０に供給される。
【００３９】
マイコン１１２は、上述した電位に基づいて接続相手を特定する方法に加え、外部ユニット側が通信部２１３を有している場合に、通信部２１３から供給された識別コードを取得することにより、機器の特定（あるいはこれに加えて機器の特性についての情報の取得）を行う機能を有する。
例えば、上記テーブルＤＢ３において、ポートのうちの予め定められた１つ（例えば１１１−ｎ；ｎ＜ｍ）における電圧値や電圧値についての条件を設定しておく。そして、このポートについて検出した電位がこの条件を満たす場合は、テーブルＤＢ３から特定される情報（外部ユニットの種類やその特性）を採用せず、端子１２０−Ｖを介して２００から受信した情報に基づいて外部ユニットの種類の判定やその特性の決定を行う。この場合、この情報には少なくとも上記の識別コード（“００１”等）が含まれる。
【００４０】
このように、本実施例によれば、外部ユニットが識別コードや機能特性を送信する機能（通信部２１３）を有していなくても、物理的な接触の状態に応じて機器の判別や機能特性の取得を行うことができる。例えば、外部ユニットに情報の送受信機能がなくても、接続部２５０を有していて、予め音響装置１００側に所定の情報を登録しておけば、音響装置１００によってその外部ユニットが認識され、その外部ユニットに応じて音響装置１００と統合的に動作させることが可能となる。一方、外部ユニットに識別コードや機能特性を送信する機能が備わっている場合は、ポート数という物理的制限を越えた量の外部ユニットの特性に関する情報を音響装置１００側に提供することができる。音響装置１００において予め機能特性を登録しておかなくても、このように識別コードとともに機能特性を送信すれば、上述した統合的動作を実現することが可能となる。
【００４１】
好ましい態様において、マイコン１１２は、上記の接触状態や通信部２１３から受信した情報に基づいて、スイッチ１９７のＯＮ／ＯＦＦの切り替えを実行する。具体的には、ポート１１１−１〜１１１−ｍのうち予め定められた一つのポートにて検出された電位が所定の電圧値（または電圧値の範囲）を示す場合に、スイッチ１９７をオンにして２００へ電力を供給する。あるいは通信部２１３から送信された情報に所定のフラグ情報が含まれている場合は、スイッチ１９７をオンにする。この情報は、例えば図１０（ｂ）に、識別コード（７桁）と、電源要否のフラグ(１ビット)と、所定のビット数が与えられた機能情報の領域とを含むデータフォーマットを有するデータＤ１として生成され、送受信される。電源要否の情報をやりとりすることで、スピーカユニット２００が必要な場合にのみ音響装置１００から電力を供給することができる。
【００４２】
音響装置１００に接続されるのは、音響装置１００からの制御信号に基づいて動作する機器以外であってもよい。図１１は、音響装置１００に接続されるスピーカユニット２００以外の外部ユニットの例として、表示器３００の機能を説明するための図である。表示器３００は、表示部３１０と接続部２５０とを含む。表示部３１０は、液晶パネルや当該パネルを駆動する回路からなる表示装置であり、接続部２５０を介して音響装置１００から供給された制御信号に基づいて表示を制御する。好ましい態様において、制御信号には１４０にて放音される音圧レベル（音量）を表わす情報が含まれており、ユーザは表示器３００によって音響装置１００で現在設定されている音量を確認することができる。
【００４３】
図１２は、音響装置１００に表示器３００が取り付けられた場合の正面図である。この情報は、制御部１７０から増幅部１５１に供給される増幅率に基づいて生成される。表示器３００が受信する制御信号は、音量以外にも、音響装置１００内で行われている処理に関係する情報を含んでいてもよい。なお、情報の表示の方法はアナログでもデジタルでもよいし、表示される内容は音量以外にも周波数特性などいかなる音響特性に関するものであってもよい。
【００４４】
音響装置１００に接続されるのは、音響装置１００に対する制御信号を供給するデバイスであってもよい。図１３は、外部ユニットの他の例として、操作つまみ４００の機能を説明した図である。操作つまみ４００は、操作子４１０と接続部２５０とを含む。操作子４１０は、回転機構とその操作状態を反映する抵抗回路その他の回路を有し、ユーザによって操作される回転型入力スイッチである。操作子４１０は、回転量に応じた信号を制御情報として２５０に出力する。この制御情報は、２５０から端子２１０を介して制御部１７０に供給される。制御部１７０において、受信した制御情報に基づいて増幅部１５１を制御する。
【００４５】
全ての外部ユニットは、端子１２０の形状に対応する形状を有する端子と、ガイド１２１の形状に適合する形状の本体部と、ナットカバー１２２の形状に対応する形状のネジ２１１が設けられた形状を有することで、音響装置１００との機械的な接続が担保される。そして、全ての外部ユニットに接続部２５０が設けられることで、音響装置１００に自ユニットを識別するための情報を供給する機能が実現する。
【００４６】
図１４は、音響装置１００に操作つまみ４００が取り付けられた場合の外観図である。ユーザは、操作つまみ４００を左右に回転させることで、スピーカユニットから放音される音量レベルを指定する。このような操作デバイスを取り付けることにより、手軽にスピーカユニット１４０における放音に関する音響パラメータを変更することができる。
また、つまみによって指定する値は音量レベルに限らず、例えばエフェクトの種類や量、ミックス比など、音響再生に関するいかなるパラメータであってもよい。
また、操作機構として、ボタンやスイッチを設けてもよい。さらに、複数のパラメータを指定するために、このような入力機構を複数有していてもよい。さらに、操作つまみ４００に、設定されているパラメータの値を確認するための液晶画面等を設けてもよい。さらに、電子楽器と接続するための端子を操作つまみ４００に設けてもよい。
【００４７】
接続部１１０、２５０の構造は、図６に示した具体例に限られない。要するに、外部ユニットは音響装置１００と機械的に接続し、音響装置１００が接続の状態を検出して少なくとも２５０の機器を特定することができる機構を有していればよい。例えば、電位というアナログデータに基づいて判定するのなく、デジタルデータで取得してもよい。この場合、例えば、各ポートについて接続部２５０側の対応する端子の接続の有無を０または１の１ビットで出力するようにし、全てのポートからの得られる計ｍビットの情報に基づいて接続状態が表される。
【００４８】
また、接続部の物理的形状として、コネクタ形状以外の形状を採用してもよい。例えば、図１５に示すように、接続部２５０側に板状の部材２１９を、接続部１１０側に部材２１９を差し込むための部材１２５を設ける。部材２１９および２１８の関係は、いわば鍵と錠の関係になっている。部材２１９には複数の凹部（ディンプル）２１８が設けられ、凹部２１８には複数のタンブラピン１８８が設けられる。凹部２１８の設け方は、外部ユニットごとに異なるように設計される。
部材２１９は、部材２１８にＸ方向から挿入されたときに凹部２１８に対応するタンブラピン１８８は凹部２１８が設けられていないタンブラピン１８８に比べてＺ方向に移動する距離が異なる。タンブラピン１８８にはバネ１６７およびスイッチ（図示省略）が設けられており、対応するタンブラピン１８８の移動量に応じてスイッチのＯＮ／ＯＦＦのいずれかが入力される。このように、外部ユニットことに異なる凹部パターンを判別することによって外部ユニットを識別する。この凹部パターンは、さらに機能特性を表していてもよい。
【００４９】
以下、図１６を用いて制御部１７０の動作例について詳説する。接続部１１０は、端子１２０の接続状態の変化を常に監視している。マイコン１１２によっては、端子１２０の接続状態の変化（つまり新たな外部ユニットの接続または既存の外部ユニットの接続の解除）を検出すると（Ｓ１００：Ｙ）、検出した接続状態に基づいて、予め定められたアルゴリズムに従って、複数の識別方法の中から１つの識別方法を特定する（Ｓ１０１）。すなわち、（ａ）端子の接続状態のみに基づいて判別を行うのか、（ｂ）識別コードを受信して判別を行うのか、（ｃ）端子の接続状態と識別コードの組み合わせに基づいて行うのか、が決定される。例えば、特定のポートの接続が検出された場合は、上記（ｂ）の判定方法を採用する。
【００５０】
制御部１７０は、マイコン１１２から供給された情報に基づいて機器情報データベースＤＢ１を参照して機器を特定する（Ｓ１０２）。ここで、当該参照によっても機器を特定できない場合、すなわち、検出した電位に対応する識別コードや受信した識別コードが機器情報データベースＤＢ１に登録されていない場合、制御部１７０は、その外部ユニットの情報の取得を試みる（Ｓ１０４）。具体的には、制御部１７０は、特性取得部１８０を介して、外部ユニットの情報を管理するサーバにアクセスし、取得した識別コード当該や識別コードで特性される外部ユニットについての詳細な情報（ユニット種別、入出力情報、機能特性）を取得する。なお、この処理においても当該識別コードについての情報が取得できなかった場合は、制御部１７０は所定の例外処理（例えば何も接続されていないものとみなしその情報を制御情報テーブルＤＢ２へ書き込む）を実行する。なお、機能特性として制御情報テーブルＤＢ２に記憶されている以外の情報を取得した場合は、該取得した情報で制御情報テーブルＤＢ２の機器特性の内容を更新してもよい。
【００５１】
外部ユニットが特定されると（Ｓ１０５）、制御部１７０は、更に音響装置１００がユニットから取得した情報に音響装置１００の制御に関する情報が含まれているかを判定する（Ｓ１０６）。音響装置１００の制御に関する情報が含まれている場合は（Ｓ１０６：Ｙ）、機器情報データベースＤＢ１のスピーカ１４０に関する項目を、取得した情報に書き換える。
こうして更新された制御内容が制御情報テーブルＤＢ２に書き込まれると（Ｓ１１０）、以後、制御部１７０は音響信号を１６０から取得すると、制御情報テーブルＤＢ２の内容に従って音響信号処理部１５０、増幅部１５１、および必要に応じて外部ユニットに対し、必要に応じて音響信号や制御信号を供給する（Ｓ１１２）。
【００５２】
このようにして、外部ユニットが接続または解除されたことがスピーカユニット１４０の放音内容に反映される。また、スピーカユニット２００と１４０とは、それらの機能特性とが考慮された上で連動して制御される。具体的には、外部ユニットがスピーカユニット２００である場合は、スピーカユニット１４０とスピーカユニット２００との機能特性を加味して好適な音圧レベルや周波数特性についての調整が行われるので、接続したスピーカユニット２００の特性を最大限に生かした再生音質を実現することができる。接続の変更があるたびに自動的に制御内容に反映されるので、例えばユーザが外部ユニットを取り付けるたびに、音響特性の設定を行うといった必要がない。制御情報テーブルＤＢ２の内容をユーザが変更できるようにしておき、ユーザは予め好みの設定内容を登録しておけば、外部ユニットが切り替わっても、ユニットが有する機能の範囲で、ユーザに好みの音質で楽音を提供することができる。
【００５３】
また、音響装置１００において、機器の判別方法および外部ユニットら機能特性の音響装置１００への取得経路が複数用意されているので、音響装置１００は、外部ユニットの多様な構成（たとえば通信部によって多くの情報量を音響装置１００へ提供できるハードウェア構成なのか、そのような通信部がなく端子を介してのみ情報を供給するハードウェア構成なのか）に対応することができる
【００５４】
端子の接続状態による判定や識別コードの受信によって外部ユニットに電力供給を行うべきかが判断されるので、電源を有しない外部ユニットであっても、音響装置１００に接続することにより動作させることができる。
【００５５】
楽音の再生に関し、外部ユニット以外の音響機器(以下、非接続連携機器という)と音響装置１００とが連携して動作を行っている場合、外部ユニットの接続を契機として、音響装置１００および外部ユニットの少なくともいずれかについての制御内容を、非接続連携機器の動作内容を考慮して決定してもよい。
例えば、非接続連携機器がサブウーファーであり、デジタルオーディオプレーヤ等の音楽再生装置から楽音信号がサブウーファーの両方に無線送信される状況が考えられる。このとき、楽音信号は音響装置１００とサブウーファーの特性とを加味し、両者から同時に放音される音質が最適化されるように生成されているものと仮定する。この場合において、外部ユニットとして新たにスピーカユニット２００が接続されると、上述の通り、当該スピーカユニット２００の特性を加味して制御情報テーブルＤＢ２の内容が書き換えられ、音響装置１００およびスピーカユニット２００から放音される楽音の質が最適化されるように制御がなされる。しかし、この制御内容の変更によって、サブウーファーから放音される楽音とのバランスが崩れ、音響装置１００、サブウーファー、外部スピーカユニットからなる音響システム全体としてのパフォーマンスが最適化されなくなってしまう可能性がある。
【００５６】
このような事態を防ぐため、好ましい態様において、制御部１７０は外部ユニットの接続を検知すると、非接続連携機器が存在するかを判定し、非接続連携機器を制御している機器（この場合は音楽再生装置）を特定する。そして、特性取得部１８０を介して音楽再生装置に問い合わせ信号を送出し、非接続連携装置がサブウーファーであることや当該非接続連携装置の機器特性を音楽再生装置から取得する。制御部１７０は、非接続連携装置から取得した情報に基づいて機器制御テーブルに記憶された情報を書き換える。例えば、音響装置１００およびスピーカユニット２００に供給する楽音信号から所定の周波数以下の楽音信号をカットするという内容に書き換える。この結果、当該所定の周波数以下の楽音についてはサブウーファーからのみ放音され、音響システム全体としてのパフォーマンスが、ユーザが設定内容の変更を行うことなく、自動的に最適化される。
【００５７】
外部ユニットとして、音響の再生や制御に直接関係のない機器を接続してもよい。図１７は、外部ユニットとしてのＬＥＤライト５００の機能を表す。上述した外部ユニットと共通しているのは、接続部２５０を有する点、および電源２６０（ただし必須ではない）を有する点である。一方、この外部ユニットに特有のあのは、発光部５１０を有する点である。発光部５１０は、１または複数のＬＥＤ電球を有し、好ましい態様において、端子２１０を介して音響装置１００から供給される制御信号に基づいて発光動作を行う。この場合、制御信号には、発行動作の内容として、例えば、発光タイミング、光量（明るさ）の情報が含まれる。図１８は、ＬＥＤライト５００を接続した音響装置１００の外観図である。
【００５８】
制御内容に関し、制御部１７０は、スピーカユニット１４０にて放音される楽音の内容（音量や周波数特性、テンポ、その他の楽曲に関する情報等）を制御信号に反映させてもよい。例えば、スピーカユニット１４０から放音される音の音量や楽曲のジャンル、テンポなどの情報に基づき、ＬＥＤライト５００における表示態様（色の指定、色の変化、文字の大きさなど）を変更する。このように楽音と点灯制御と連動させるにあたり、再生される楽音に応じた点灯状態を楽しませるといったことが考えられる。
【００５９】
図１９は、外部ユニットとして、アラーム機能付き時計６００の機能を表わすである。アラーム機能付き時計６００は、接続部２５０、電源２６０、および計時部６１０からなる。計時部６１０は、水晶発信子等からなる計時機構と、鳴動手段、アラーム情報の入力を行う操作子、アラーム設定内容を記憶するメモリ等からなるアラーム機構と、操作子時刻やアラーム設定情報を表示する液晶表示部（いずれも図示省略）とを含む。
【００６０】
図２０は、６００を接続した音響装置１００の外観の例を表す図である。図１９に示すように、時計の動作は音響装置１００の制御と無関係である。あるいは、ＬＥＤライト５００と同様、計時部６１０を、２５０を介して受信した制御信号に基づいて動作させてもよい。逆に、アラームの設定内容に基づき、スピーカユニット１４０を制御してもよい。例えば、アラーム設定時刻が到来すると、制御部１７０に対し音量レベル下げるような命令が計時部６１０で生成され、接続部１１０および２５０を介して制御部１７０に供給される。
このように、機器情報データベースＤＢ１および制御情報テーブルＤＢ２の記憶内容を設定しておけば、接続している外部ユニットの動作に連動した音響装置１００に対する制御、音響装置１００の動作に連動した外部ユニットに対する制御、音響装置１００とユニットの同時並列的な制御について、所望の内容に設定することができる
【００６１】
また、図示はしないが、外部ユニットとして、所定の音響効果を発揮するエンクロージャー機能のみを有する筐体を接続してもよい。
【００６２】
音響装置１００に接続される外部ユニットは、一つの機器に限らず、複数の機器や部品の集合体であってもよい。例えば、図２１に示すように、接続部１１０にスピーカユニット２００を取り付けた状態で、さらに音響波を拡散させる機能を有するディフューザ７００をスピーカユニット１４０および２００に共有の拡張部品として取り付けてもよい。
【００６３】
接続部１１０は、筐体１９９に２つ以上設けてもよい。すなわち、複数の外部ユニットを同時に音響装置１００に取り付けることができるようにしてもよい。こうすれば、音響装置１００の外観や制御内容のバリエーションを増やすことができる。この場合、制御部１７０は、各接続部１１０に設けられた端子１２０から識別コードを取得して接続されている全ての外部ユニットを判別する。このうち少なくともいずれか１以上の外部ユニットに応じて、音響信号処理部１５０および増幅部１５１が制御される。また、音響装置１００において、外部ユニットの組み合わせを予め登録しておき、接続されている複数の外部ユニットが当該登録された組み合わせに合致した場合にのみ音響信号処理部１５０および当該複数の外部機器の少なくともいずれかに対して実現されるような制御の内容を制御情報テーブルＤＢ２に登録しておいてもよい。こうすれば、ユーザが外部ユニットの組み合わせを楽しむことがきる。
【００６４】
制御部１７０は、制御情報テーブルＤＢ２に記憶された情報を、他の端末に送信してもよい。この場合、ユーザが音響装置１００においてどのような外部ユニットを接続してどのような制御をしているのか（あるいは過去にしていたのか）を第三者に開示することができる。さらに、このような開示情報を１つのサーバに集約させ、他人の制御内容を閲覧することができるようにしてもよい。こうすれば、ユーザは他人のカスタマイズ事例を参考にして、自分の音響装置１００のカスタマイズを楽しむことができる。
【００６５】
外部ユニットとして他の音響装置１００を接続してもよい。すなわち、音響装置１００同士を接続してもよい。具体的には、各音響装置１００に他の音響装置１００と接続する専用の端子（以下、「専用端子」という）を設け、第１の音響装置１００の「専用端子」と第２の音響装置１００の接続部１１０とが接続された場合、互いの音響装置１００の機能特性を交換する。そして、全体として一つの音響機器として機能するように制御内容を第１の音響装置１００が決定する。また、このような音響装置１００を３台以上接続させてもよい。
【００６６】
接続部１１０、音響信号処理部１５０および制御部１７０の機能をどのようにハードウェアに実装するかは、上記実施例で説明した例に限らない。機能ごとにプロセッサ等のハードウェアを設けてもよいし、複数の機能を一つのプロセッサで実行してもよい。例えば、上述した機能は、音響装置１００が備えるプロセッサが記憶部１３０から制御プログラムを読み出して実行することにより、実現される。このプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供し得る。また、インターネットのようなネットワーク経由で音響装置１００にダウンロードさせることも可能である。
要は、本発明の音響装置は、筐体と、スピーカと、前記筐体に設けられた端子と、前記端子に取り付けられた外部ユニットを特定する特定部と、前記特定部にて特定された外部ユニットに応じた制御内容を決定し、該決定した制御内容に従って前記スピーカを制御する制御部とを有していればよい。
【符号の説明】
【００６７】
１００・・・音響装置、１１０、２５０・・・接続部、１１１・・・端子、１１２・・・マイコン、１２０、２１０・・・端子、１２１・・・ガイド、１２２・・・ナットカバー、１２４・・・接続部、１３０・・・記憶部、１４０・・・スピーカユニット、１５０・・・信号処理部、１５１・・・増幅部、１６０・・・楽音入力部、１７０・・・制御部、１８０・・・情報取得部、１９７・・・スイッチ、１９８、２６０・・・電源、１９９・・・筐体、２００・・・外部ユニット、２１１・・・ネジ、２１２・・・本体部、２１３・・・通信部、２５０・・・接続部、３００・・・表示器、４００・・・操作つまみ、５００・・・ＬＥＤライト、６００・・・アラーム付時計、７００・・・ディフューザ
【図１】
2014096657.tif 000003
【図２】
2014096657.tif 000004
【図３】
2014096657.tif 000005
【図４】
2014096657.tif 000006
【図５】
2014096657.tif 000007
【図６】
2014096657.tif 000008
【図７】
2014096657.tif 000009
【図８】
2014096657.tif 000010
【図９】
2014096657.tif 000011
【図１０】
2014096657.tif 000012
【図１１】
2014096657.tif 000013
【図１２】
2014096657.tif 000014
【図１３】
2014096657.tif 000015
【図１４】
2014096657.tif 000016
【図１５】
2014096657.tif 000017
【図１６】
2014096657.tif 000018
【図１７】
2014096657.tif 000019
【図１８】
2014096657.tif 000020
【図１９】
2014096657.tif 000021
【図２０】
2014096657.tif 000022
【図２１】
2014096657.tif 000023